(57)【特許請求の範囲】
【請求項１】
床面に支持され該床面から天井面に向かって立設してなる複数の支柱と、隣接する支柱同士を天井面付近で連結する横架材とを具備してなり、前記横架材が、少なくとも天井面から内部の空洞に導入した配線を案内し得る配線案内機能と、オプション部材を取付け得るオプション部材取付機能とを有するものであって、前記横架材が、上下に区画された２つの空洞を有し、上部の空洞を上方（天井側）に開放するための長手方向に連続して開口する上方連続開口と、下部の空洞を下方（床側）に開放するための長手方向に連続して開口する下方連続開口とを具備したものであり、この横架材の上部の空洞を配線案内空間とするとともに、この横架材にオプション部材を取り付け得るようにし、前記支柱が、支柱本体と横架材とを連結する円筒状のジョイント部を具備し、このジョイント部において前記支柱と横架材の配線案内空間を連通していることを特徴とする配線装置。
【請求項２】
横架材が、上部が開口してなる断面略コ字形の第１の枠材と、下部が開口してなる断面略コ字形の第２の枠材とにより構成されていることを特徴とする請求項１記載の配線装置。
【請求項３】
組立ユニット式であることを特徴とする請求項１又は２記載の配線装置。
【請求項４】
横架材の上方連続開口を、天井面からの配線を内部の空洞に導入し得る配線挿通口としていることを特徴とする請求項１、２又は３記載の配線装置。
【請求項５】
支柱が、円筒状のものであることを特徴とする請求項１、２、３又は４記載の配線装置。
【請求項６】
支柱が、内部に床面或いは天井面から導入した配線を案内し得る配線案内空間を具備してなることを特徴とする請求項１、２、３、４又は５記載の配線装置。
【請求項７】
支柱が、コンセントを具備してなることを特徴とする請求項６記載の配線装置。
【請求項８】
オプション部材が、パネルであることを特徴とする請求項１記載の配線装置。
【請求項９】
パネルが、内部に床面或いは天井面から導いた配線を案内し得る配線案内空間を具備してなることを特徴とする請求項８記載の配線装置。
【請求項１０】
パネルが、コンセントを具備してなることを特徴とする請求項９記載の配線装置。
【請求項１１】
オプション部材が、収納棚であることを特徴とする請求項１記載の配線装置。
【請求項１２】
オプション部材が、照明装置であることを特徴とする請求項１記載の配線装置。
【請求項１３】
オプション部材が、ロールスクリーンであることを特徴とする請求項１記載の配線装置。
【発明の詳細な説明】
【０００１】
【発明の属する技術分野】
本発明は、オフィス内の電力線や通信線等の各種の配線を良好に行う配線装置に関するものである。
【０００２】
【従来の技術】
ＯＡ化の進展に伴って、オフィス内には多くの配線が溢れかえるようになっている。このような配線の引き回しは、居住空間に見苦しい形で露出しがちであり、配線が通路を横断する等といったオフィスの機能低下の原因ともなりかねない。そこで、このような配線処理に関して、床面下に配線を引き回し、床面下から立ち上げた配線を所定箇所に配置したポール状の配線装置内に導いてＯＡ器機等に電力や通信信号を供給するようにしている。
【０００３】
また、近年、床面下と同様に天井側にも配線を張り巡らしているオフィスも見受けられる。現在、このような天井側からの配線を利用する場合、天井面付近の室内壁面間に配線ダクトを固設し、この配線ダクトにより所定箇所に配線を案内するようにしている。
【０００４】
【発明が解決しようとする課題】
しかしながら、この配線ダクトは、固設に際して室内壁面に大掛かりな工事が必要となる上、一度固設してしまうと設置場所の変更等が容易に行いにくく、また簡単に撤廃できないという不具合がある。さらに、この配線ダクトからテーブル等の上に載置したＯＡ器機まで配線を導く際には、適当な隠蔽手段を講じない限り配線が見苦しい形で露見してしまう。そのため、現在、天井側から室内に導入した配線を良好に引き回すシステムが望まれているのが実状である。
【０００５】
【課題を解決するための手段】
本発明は、上述した不具合を解消するための複数の支柱と横架材により構成される組立ユニット式の配線装置であって、天井面付近に配設される横架材に配線を案内し得る配線案内機能を付与するようにしている。
【０００６】
【発明の実施の形態】
本発明は、床面に支持され該床面から天井面に向かって立設してなる複数の支柱と、隣接する支柱同士を天井面付近で連結する横架材とを具備してなり、前記横架材が、少なくとも天井面から内部の空洞に導入した配線を案内し得る配線案内機能と、オプション部材を取付け得るオプション部材取付機能とを有するものであって、前記横架材が、上下に区画された２つの空洞を有し、上部の空洞を上方（天井側）に開放するための長手方向に連続して開口する上方連続開口と、下部の空洞を下方（床側）に開放するための長手方向に連続して開口する下方連続開口とを具備したものであり、この横架材の上部の空洞を配線案内空間とするとともに、この横架材にオプション部材を取り付け得るようにし、前記支柱が、支柱本体と横架材とを連結する円筒状のジョイント部を具備し、このジョイント部において前記支柱と横架材の配線案内空間を連通していることを特徴とする配線装置である。
【０００７】
このような構成のものならば、天井面から室内に導入した配線を横架材を介して外部から隠蔽した状態で所定箇所まで良好に案内することができる。特に、この配線装置は、床面の所定位置に複数の支柱をボルト等の止着具を使って固設し、これら支柱に横架材を連結するようにしているため、配線ダクトを固設する場合に比べて室内壁面に大掛かりな施工工事が必要なく、また横架材の配設位置の変更や撤廃等も比較的容易に行える。また、すでに室内に配設している既存の支柱に横架材を連結することにより本発明の配線装置を構成して、天井面からの配線を良好に利用することも可能である。
【０００８】
一方、近時、オフィスでは、床面に支持させた複数の支柱を横架材により連結した上、パネルや収納棚等のオプション部材を配設してオフィス内に特定の作業空間を形成する作業空間モジュールが普及しつつある。この作業空間モジュールは、会議室、グループ或いは個人の作業の場等として利用され、フレキシブルオフィスの新しい形として注目されている。本発明の配線装置は、横架材の配線案内機能により良好な情報環境を備えた作業空間作りが実現する上、横架材が、パネルや収納棚等のオプション部材を取付け得るオプション部材取付機能を有しているので、利用者の作業態様に応じた快適な作業空間を提供することが可能であり、上述したような作業空間モジュールを好適に形成し得るものである。
【０００９】
好適な実施の態様としては、横架材が、横架材が、上部が開口してなる断面略コ字形の第１の枠材と、下部が開口してなる断面略コ字形の第２の枠材とにより構成されているものが挙げられる。
輸送や搬入、さらに前述した作業空間モジュールの形成を容易なものとするには、配線装置が、組立ユニット式であることが望ましい。
横架材の好適な実施の形態としては、横架材の上方連続開口を、天井面からの配線を内部の空洞に導入し得る配線挿通口としているものを挙げることができる。
【００１０】
横架材の数及び配置を柔軟に設定し、作業空間モジュールのレイアウトを室内の態様に応じて柔軟に変更し得るには、支柱が、円筒状のものであることが望ましい。
支柱の好適な実施の形態としては、内部に床面或いは天井面から導いた配線を案内し得る配線案内空間を具備してなることが望ましい。
【００１１】
さらに、この場合には、前記支柱が、コンセントを具備してなることが望ましい。
作業空間を外部から確立、隠蔽して良好な作業空間モジュールを形成するには、オプション部材が、パネルであることが望ましい。
このパネルの好適な実施の形態としては、パネルが、内部に床面或いは天井面から引き込んだ配線を案内し得る配線案内空間を具備してなることが望ましい。
【００１２】
また、この場合には、パネルが、コンセントを具備してなることが望ましい。オプション部材の他の好適な実施の形態としては、収納棚や照明装置やロールスクリーン等を挙げることができる。
【００１３】
【実施例】
以下、本発明の一実施例を、図１〜図７を参照して説明する。
本実施例では、本発明に係る配線装置１を図１に示すような作業空間Ｓを形成する作業空間モジュールとして適用した場合について説明する。
この配線装置１は、図１及び図２に示すように、床面Ｆと天井面Ｃ間に亘って配設される組立ユニット式のものであり、床面Ｆに支持された複数の支柱２と、天井面Ｃ付近に配設され隣接する支柱２間を連結する横架材３と、前記横架材３に設けたオプション部材たる収納棚４及びパネル５とを具備してなる。
【００１４】
床面Ｆ及び天井面Ｃについて簡単に説明する。床面Ｆは、図２に示すように、床下配線Ｈ１を取り出すための配線挿通孔ｆ１を有してなる床材ｆ２を複数枚配列して構成されているものである。床材ｆ２は、適宜の支持部材（図示せず）により支持されて建築床面Ａから所定距離浮上した位置に配設されるものであり、床材ｆ２と建築床面Ａとの間に形成される床下配線空間Ｓ１に電力線や通信線等の各種配線類を床下配線Ｈ１として挿通させることができるように構成されている。そして、前記配線挿通孔ｆ１を介して前記床下配線Ｈ１を配線Ｈとして床面Ｆ上に導出し得るように構成している。同様に、天井面Ｃは、天井側配線Ｈ２を取り出すための配線挿通孔ｃ１を有してなる天井側床材ｃ２を複数枚配列して構成されているものである。天井側床材ｃ２は、適宜の支持部材（図示せず）により支持されて天井側建築床面Ｂから所定距離離間した位置に配設されるものであり、天井側床材ｃ２と天井側建築床面Ｂとの間に形成される天井側配線空間Ｓ２に電力線や通信線等の各種配線類を天井側配線Ｈ２として挿通させることができるように構成されている。そして、前記配線挿通孔ｃ１を介して前記天井側配線Ｈ２を配線Ｈとして天井面Ｃ下に導出し得るように構成している。
【００１５】
支柱２は、内部に空洞たる配線案内空間Ｓ３を有してなる円筒状のもので、図３に示すように、床面Ｆに固設してなるベース部２１と、前記ベース部２１に対して着脱可能に連結してなる支柱本体２２と、前記支柱本体２２の上端に配設され該支柱２と横架材３とを連結するジョイント部２３と、前記ジョイント部２３の上部開口を閉塞する蓋部２４とを具備してなるものである。前記ベース部２１は、底壁２１ａに設けた開口２１ｂを前記床面Ｆの配線挿通孔ｆ１と合致させて床面Ｆにボルト等適宜の手段により固設されている。支柱本体２２は、上下方向の中間位置にコンセント８を有している。コンセント８は、外面に差込口８１、８２を表出させてなるもので、一方の差込口８１は電力用のもの、他方の差込口８２は通信用のものとして設定されている。具体的には、支柱２の配線案内空間Ｓ３に天井面Ｃ若しくは床面Ｆから電力線を引き込み、その電力線の終端を、前記支柱本体２２に支持させてあるコンセント８の各差込口８１に対応する内部端子に接続するとともに、同様に天井面Ｃ若しくは床面ＦからＬＡＮや電話線等の通信線を引き込み、通信線の終端をコンセント８の各差込口８２に対応する内部端子に接続している。ジョイント部２３は、横架材３を連結する位置に設けた切欠２３ａと、前記切欠２３ａ下の側面に固着したブラケット２５とを具備している。前記ブラケット２５は、垂下壁２５ａと水平壁２５ｂとからなる略Ｌ字型のものであり、前記垂下壁２５ａを前記切欠２３ａ下の側面に溶接するなどして固着している。
【００１６】
横架材３は、上部が開口してなる第１の枠材６と、下部が開口してなる第２の枠材７とを具備してなり、前記第１の枠材６の底壁６３に前記第２の枠材７の頂壁７１を溶接する等して固設し、配線案内機能とオプション部材取付機能を分割して構成しているものである。第１の枠材６は、頂壁６１、左右側壁６２、底壁６３により形成される断面略コ字型の枠材であり、頂壁６１に設けた連続開口を配線挿通口６４とし、前記頂壁６１、左右側壁６２、底壁６３により形成される空洞を配線案内空間Ｓ４としている。また第２の枠材７は、下方に開口７５を有する断面略コ字型の枠材であり、頂壁７１と、左右側壁７２と、底壁７３と、底壁７３の端部から起立した対をなす起立壁７４と、前記頂壁７１の左右端部から鉛直下方に延出してなる引っ掛け爪７７とを有し、前記起立壁７４の上面を収納棚４やパネル５の上端を移動可能に支持し得るレール部７６としている。この横架材３を前記支柱２に連結する際には、図４に示すように、前記ジョイント部２３の切欠２３ａ内に第１の枠材６の左右端部を嵌合し、前記引っ掛け爪７７を切欠２３を介して支柱２の内側面に引っ掛けた後、前記ブラケット２５の水平壁２５ｂに設けたボルト孔と第１の枠材６の底壁６３、第２の枠材７の頂壁７１に設けたボルト孔にボルトを締結することにより、前記ジョイント部２３に横架材３を連結している。なお、横架材３の配線案内空間Ｓ４と支柱２の配線案内空間Ｓ３は、前記切欠２３ａにより連通している。
【００１７】
収納棚４は、図１に示すように、棚本体４ａ内に複数の棚板４ｂを有する周知のものであり、パネル５も、パネル５の骨格を形成する枠体５ａと、この枠体５ａの前後面に添設されるパネル本体５ｂとを有する周知のものである。
これら収納棚４やパネル５は、図５に示すように、その上壁から突設したアーム８を前記第２の枠材７の開口７５内に挿入し、前記アーム８の上端に水平軸回りに回転可能に軸着したローラ９を前記第２の枠材７のレール部７６上を転動させることにより横架材３に沿って移動可能な構成となっている。
【００１８】
また、前記パネル５の内部には配線Ｈを案内し得る配線案内空間（図示せず）を設けるとともに、その前後面に添設したパネル本体５ｂに電力線の差込口８１や通信線の差込口８２を外部に表出させたコンセント８を配設している。
このような構成のものであると、天井面Ｃから室内に導入した配線Ｈを横架材３を介して外部から隠蔽した状態で所定箇所まで良好に案内することができる。特に、この配線装置１は、床面Ｆの所定位置に複数の支柱２をボルト等の止着具を使って固設し、これら支柱２に横架材３を連結するようにしているため、配線ダクトを固設する場合に比べて室内壁面に大掛かりな施工工事を行うことなく設置できる上、設置場所の変更や撤廃等も比較的容易に行うことができる。さらに、組立ユニット式のものであるので、各構成要素に分解すれば、輸送や搬入も容易となる。また、本発明の配線装置１は、横架材３の配線案内機能により支柱２と横架材３により形成される作業空間Ｓへの配線供給を充実することが可能となり良好な情報環境を備えた作業空間作りが実現する上、横架材３が、パネル５や収納棚４等のオプション部材を取付け得るオプション部材取付機能を有しているので、利用者の作業態様に応じた快適な作業空間を提供することが可能であり、作業空間モジュールとして好適に利用されるものである。しかも、本実施例の横架材３は、配線案内機能とオプション部材取付機能を分割して構成しているので、オプション部材取付や移動時に、配線が邪魔にならず、また配線の破損も防止することができる。
【００１９】
横架材３が、上方に連続した開口を有し、その開口を天井面Ｃからの配線Ｈを内部の配線案内空間Ｓ４に導入し得る配線挿通口６４としているので、天井面Ｃの配線挿通孔ｃ１と横架材３の配線挿通口６４の位置合せや配線Ｈの導入作業を容易なものとし、配線案内空間Ｓ４に天井面Ｃからの配線Ｈを良好に導入することが可能となる。
【００２０】
支柱２が、円筒状のものであるので、支柱の円周３６０度に亘って横架材３の数及び配置を柔軟に設定でき、作業空間モジュールのレイアウトを室内の態様に応じて柔軟に変更することができる。
支柱２が、内部に床面Ｆ或いは天井面Ｃから導いた配線Ｈを案内し得る配線案内空間Ｓ３を具備してなるので、前記横架材３を介して天井面Ｃから取り込んだ配線Ｈを支柱２を介して所定箇所に設置されたＯＡ器機付近にまで好適に隠蔽した状態で案内することができる上、天井面Ｃからだけでなく床面Ｆから立ち上げた配線Ｈも同様に利用することができ、作業空間Ｓ内への配線供給を充実したものとし得る。
【００２１】
前記支柱２が、コンセント８を具備してなるので、支柱２付近にＯＡ器機等を載置したテーブルを配置すれば、該ＯＡ器機から導出された電力線や通信線の接続作業が良好なものとなる。
オプション部材としてパネル５を利用しているので、作業空間Ｓを外部から確立、隠蔽して良好な作業空間モジュールを形成することができる。
【００２２】
前記パネル５が、内部に床面Ｆ或いは天井面Ｃから引き込んだ配線Ｈを案内し得る配線案内空間を具備してなるので、前記横架材３を介して天井面Ｃから取り込んだ配線Ｈをパネル５を介してパネル５近辺に設置されたテーブル上に載置したＯＡ器機付近にまで案内することができる上、天井面Ｄからだけでなく床面Ｆから立ち上げた配線Ｈも同様に利用することができる。
【００２３】
パネル５が、コンセント８を具備してなるので、パネル５付近にＯＡ器機等を載置したテーブルを配置すれば、該ＯＡ器機から導出された電力線や通信線の接続作業が良好なものとなる。
なお、本発明は、上記実施例に限定されるものではない。例えば、図６に示すように、第１の枠材６の内部に配線案内空間Ｓ４を仕切る中間壁６５を設けるようにしてもよい。さらに、収納棚４やパネル５以外の他のオプション部材の具体例としては、図６に示すように、第２の枠材７の頂壁７１にロールスクリーン１０を取着したり、図７に示すように、第１の枠材６の側壁６２に照明装置１１を取着したり、図示していないが、第１の枠材６の側壁６２にサインプレート等を取着したり、第１の枠材６の頂壁６１に天井材を取付けるようにしてもよいのは勿論である。さらに、パネル５がホワイトボードや掲示板等であってもよく、また収納棚４やパネル５は固定式のものであってもよい。また、すでに室内に配設してなる既存の支柱に横架材３を連結して本発明の配線装置１を構成することも可能である。その他の構成も、本発明の趣旨を逸脱しない範囲内で種々変形が可能である。
【００２４】
【発明の効果】
本発明は、以上説明したような形態で実施され、以下に記載されるような効果を奏する。
本発明は、複数の支柱と、隣接する支柱同士を天井面付近で連結する横架材とを具備してなり、前記横架材が、少なくとも天井面から内部の空洞に導入した配線を案内し得る配線案内機能を有しているので、室内に大掛かりな施工工事を行うことなく、天井面から室内に導入した配線を好適に利用することができる。また、すでに室内に配設してなる既存の支柱に横架材を連結して本発明の配線装置を構成することも可能である。さらに、本発明の配線装置は、横架材の配線案内機能により良好な情報環境を備えた作業空間つくりが実現する上、横架材が、パネルや収納棚等のオプション部材を取付け得るオプション部材取付機能を有しているので、利用者の作業態様に応じた快適な作業空間を提供することができ、近時、オフィス内に導入が進んでいる作業空間モジュールとして好適に利用することができる。
【００２５】
さらに、配線装置が、組立ユニット式のものであるならば、輸送や搬入、また作業空間モジュールの形成が容易なものとなる。
横架材が、上方に連続した開口を有し、その開口を天井面からの配線を内部の空洞に導入し得る配線挿通口としているならば、天井面の配線挿通孔と横架材の配線挿通口の位置合せや配線の導入作業を容易なものとし、配線案内空間に天井面からの配線を良好に導入することが可能となる。
【００２６】
支柱が、円筒状のものであるならば、横架材を支柱の円周３６０度に亘って配設できるので、横架材の数及び配置を柔軟に設定でき、作業空間モジュールのレイアウトを室内の態様に応じて柔軟に変更することができる。
支柱が、内部に床面或いは天井面から導いた配線を案内し得る配線案内空間を具備してなるならば、前記横架材を介して天井面から取り込んだ配線を支柱を介して所定箇所に設置されたＯＡ器機付近にまで好適に隠蔽した状態で案内することができる上、天井面からだけでなく床面から立ち上げた配線も同様に利用することができる。
【００２７】
支柱が、コンセントを具備してなるならば、支柱付近に配設したＯＡ器機等から導出した電力線や通信線の接続作業が容易なものとなる。
オプション部材が、パネルであるならば、作業空間を外部から確立、隠蔽して良好な作業空間モジュールを形成することができる。
前記パネルが、内部に床面或いは天井面から引き込んだ配線を案内し得る配線案内空間を具備してなるならば、前記横架材を介して天井面から取り込んだ配線をパネルを介して所定箇所に設置されたＯＡ器機付近にまで好適に隠蔽した状態で案内することができる上、天井面からだけでなく床面から立ち上げた配線も同様に利用することができる。
【００２８】
パネルが、コンセントを具備してなるならば、パネル付近に配設したＯＡ器機等から導出した電力線や通信線の接続作業が容易なものとなる。
オプション部材の他の好適な実施の形態としては、収納棚や照明装置やロールスクリーン等を挙げることができ、利用者の要求に応じて種々のものを取着すれば、より快適な作業空間つくりが可能となる。
【図面の簡単な説明】
【図１】本発明の一実施例を示す全体斜視図。
【図２】同実施例の配線装置を配設した室内の配線状態を示す概略図。
【図３】同実施例を示す分解斜視図。
【図４】同実施例の要部を示す側断面図。
【図５】同パネルの取付け状態を示す概略図。
【図６】同オプション部材としてロールスクリーンを取着した状態を示す図。
【図７】同他のオプション部材として照明装置を取着した状態を示す図。
【符号の説明】
１…配線装置
２…支柱
３…横架材
４…パネル
６４…配線挿通口
８…コンセント
１０…ロールスクリーン
１１…照明装置
Ｃ…天井面
Ｆ…床面
Ｈ…配線
Ｓ３…配線案内空間
Ｓ４…空洞（配線案内空間）
【図１】
0003654015.tif 000002
【図２】
0003654015.tif 000003
【図３】
0003654015.tif 000004
【図４】
0003654015.tif 000005
【図５】
0003654015.tif 000006
【図６】
0003654015.tif 000007
【図７】
0003654015.tif 000008